(57)【要約】【課題】レーザ治療の最中に突然電池消耗をきたして、治療中断することのない医療用レーザ装置を提供する。【解決手段】本体に搭載した二次電池１と、前記二次電池の残量を監視する電池残量監視部７と、少なくとも前記二次電池から供給される電源によりレーザ発振するレーザ発振器３と、前記レーザ発振器から照射されるレーザ光を患者患部へ導くレーザ導光部６と、前記レーザ発振器から送出されるレーザ光出力を制御するレーザ制御部２とを備え、前記電池残量監視部で監視する電池残量が所定値を下回った場合警報音を発する警報発生部８を備えることによって、使用者が患者患部を注視しているレーザ治療の最中にあっても、電池残量の低下状況を報知させることができる。【選択図】図３
2007089751.tif 000002
【特許請求の範囲】
【請求項１】
本体に搭載した二次電池と、前記二次電池の残量を監視する電池残量監視部と、少なくとも前記二次電池から供給される電源によりレーザ発振するレーザ発振器と、前記レーザ発振器から照射されるレーザ光を患者患部へ導くレーザ導光部と、前記レーザ発振器から送出されるレーザ光出力を制御するレーザ制御部とを備え、前記電池残量監視部で監視する電池残量が所定値を下回った場合警報音を発する警報発生部をさらに備えた医療用レーザ装置。
【請求項２】
商用電源入力部を備え、二次電池は前記商用電源部に接続された商用電源からの電力供給がある場合は前記二次電池に充電することを特徴とする請求項１記載の医療用レーザ装置。
【請求項３】
商用電源入力部を備え、前記商用電源接続部に接続された商用電源からの電力供給がある場合は本装置内部への電力供給を前記商用電源接続部から行うことを特徴とする請求項１または２記載の医療用レーザ装置。
【請求項４】
電池残量監視部で検出される電池残量レベルを表示する電池残量表示部を設けた請求項１〜３記載の医療用レーザ装置。
【請求項５】
商用電源入力部または二次電池の接続状態によって、前記二次電池の充放電動作を示す充放電状態表示部を設けた請求項１〜４記載の医療用レーザ装置。
【請求項６】
警報発生部は、レーザ照射中のレーザ照射警告音とは異なる警報音パターンで警報発生する請求項１〜５記載の医療用レーザ装置。
【請求項７】
警報発生部は、電池残量監視部による電池残量レベルにより複数種類の警報音パターンで警報発生する請求項１〜６記載の医療用レーザ装置。
【請求項８】
警報発生部による警報発生後も所定時間はレーザ出力可能とし、二次電池への充電への充電が開始あるいは電池残量が所定値を上回った場合、警報音発生を停止する請求項１〜７記載の医療用レーザ装置。
【発明の詳細な説明】
【技術分野】
【０００１】
本発明は、レーザ光源の電力供給源として二次電池を備えた医療用レーザ装置に関する。
【背景技術】
【０００２】
近年、医科や歯科分野において、患部組織の切開、蒸散、止血、凝固を目的とした数Ｗ〜数１０Ｗクラスのレーザ手術装置が広く用いられているようになっている。
【０００３】
従来の医療用レーザ装置について図面を用いて説明する。図４は、従来の医療用レーザ装置の構成を示すブロック図である。図４に示すように、従来の医療用レーザ装置は、商用電源入力部１０１、レーザ制御部１０２、レーザ駆動部１０３、操作部１０４、表示部１０５及びレーザ導光部１０６を設けている。
【０００４】
商用電源入力部１０１は交流１００Ｖの商用電源を直流に変換し、装置内部各ブロックへ給電する。操作部１０４は、使用者がレーザ光出力や照射パターン等の照射条件や照射開始／停止を入力指示するためのインターフェースである。操作部１０４から入力された情報は、レーザ制御部１０２へ出力される。操作部１０４の一部はフットペダルからなり、使用者が照射条件を設定し、照射待機状態にした後このフットペダルを踏むことでレーザ照射指令が発出される。
【０００５】
レーザ制御部１０２は、使用者が操作部１０４を用いて設定した照射条件でレーザ光照射されるよう、レーザ発信器１０３へ信号送出する。またレーザ制御部１０２は、操作部１０４から入力され受け付けた情報を表示部１０５に表示させる。表示部１０５は本体装置上部のフロントパネルに備えられ、設定された照射条件や現在の照射状態をＬＥＤ等で示す。
【０００６】
レーザ発振器１０３は、例えばＲＦ発振型の金属製封じ切り１０Ｗ出力炭酸ガスレーザ管（レーザ波長１０．６μｍ）であり、レーザ制御部１０２から送出されたパルス信号のデューティに応じてレーザ出力が調整される。レーザ導光部１０６は、レーザ発振器１０３から出射されたレーザ光を術野まで効率よく導く光ファイバープローブである。
【０００７】
上述の図４に示したように、従来の医療用レーザ装置においては、電力の供給は、壁面等に設けられた商用電源コンセントに電源コードを接続して行われている。
【０００８】
疼痛を緩和させる目的の微弱出力半導体レーザを用いた低消費電力型レーザ治療器では、電池を電源として搭載することも提案されていた（例えば、特許文献１参照）。しかしながら一方、患部組織の切開、蒸散、止血、凝固を目的とし数Ｗ以上のレーザ光出力を必要とするレーザ手術装置では、これまで全て商用電源を電力供給源としてきた。特にレーザの媒質として炭酸ガスを用いた炭酸ガスレーザ手術装置の場合、発振管を構成する共振器長が長いので、床置き式の縦長筐体となり、台座部の底面に取り付けられたキャスターで移動する。患者診療台ないし診療チェアーが数台並んでいる開業医院や歯科医院の場合、１人の医師が複数の患者治療を時分割にかけもちで行う。このような状況下でこの種の医療用レーザ装置を用いる場合、医師は個々の患者診療台ないし診察チェアーの近傍まで装置をその都度引きずり回した後に装置電源を再投入し、患者治療に供してきた。
【特許文献１】特開昭５８−８９２４３号公報（第２頁左上欄、第２図）
【発明の開示】
【発明が解決しようとする課題】
【０００９】
しかしながら目的の患者診療台ないし診療チェアーの近傍に装置を移動してきたり、その場で装置の方向を回転させたい際、使用者である医師は装置につながっている電源コードを足で引っ掛けたり、キャスターにからみつかせたりして邪魔になることが多かった。また装置移動の際には、電源コンセントからプラグをはずして床面に接している電源コードを本体側から手繰り寄せた後、新たな電源コンセントにプラグをさし直した後に装置への電源再投入するなど、手間を取られるばかりでなく、菌付着の可能性が高い電源コードにその都度触れざるを得ず、衛生管理上も課題があった。電源コンセント自体が装置移動先の患者診療台ないし診療チェアーの近傍にない場合、規格外である市販平行ビニール線の延長ケーブルでつながれる恐れもあり、接地浮き、定格不足による発熱、機械的強度不足、防水性等の各面から課題となる。
【００１０】
空調、照明をはじめ他の電気設備、診断治療機器、滅菌機器の稼動も当然日中の診療時間に集中するが、一般診療所や個人開業医院においては特定の電源系統で消費電流がオーバーしてブレーカーが落ちたり電圧変動が発生したりして、レーザ出力停止等で治療を中断する可能性もあった。全体の総消費電力パターンも昼間に集中してしまう課題があった。
【００１１】
本装置における電力消費の多くはレーザ発振するレーザ発振器によるものであるため、単に電池式にしただけでは、まさにレーザ治療の最中に使用者に自覚させ得ないまま突然電池消耗をきたし、レーザ出力停止等で治療を中断せざるを得ない可能性があった。特にレーザ治療している使用者は、治療の最中、患者患部を注視しているため本体装置表示による報知のみでは認知されづらいという課題があった。
【００１２】
そこで本発明の第１の目的は、通常の診療時間中は電池駆動が可能な医療用レーザ装置を提供することにある。特に使用者が、電池残量を把握せず電池残量不足状態で本装置を使用開始した場合でも、治療に支障をきたさない医療用レーザ装置を提供するものとする。
【００１３】
また単に電池式にしただけでは、使用前に充電完了させた電池を準備しておき本体に装着したり、放電してしまった電池を取り外したりして再充電するといった煩雑さが考えられるため、診療時間外に手間なく簡便に充電しておける医療用レーザ装置を提供することを第２の目的とする。
【００１４】
もし治療途中で電池が消耗してしまった場合でも速やかに治療続行できることを第３の目的とする。
【００１５】
また治療の合間にも常に電池消耗度合いを使用者に知らせることで、突然電池消耗をきたしレーザ出力停止等で治療を中断せざるを得ない状況そのものを事前に回避させることを第４の目的とする。
【００１６】
また現在、本装置が電池駆動で放電しているのか充電されているのかを使用者に知らせ、適切な処置を促すことを第５の目的とする。
【００１７】
特に治療中で表示部分に目が届きにくい使用者に対し、電池消耗度合いを音で知らせ、適切な処置を促すことを第６の目的とする。
【００１８】
さらに治療が突然続行出来なくならないようある程度余裕を持って使用者に電池消耗状況を知らせ、適切な処置を促すことを第７の目的とする。
【００１９】
もし電池消耗の警報音が発せられた後であっても、当該治療または当日分の治療をそのまま続行し得る程度の電池容量を持たせることを第８の目的とする。
【課題を解決するための手段】
【００２０】
上記の第１の目的を達成するために、本発明にかかる第１の医療用レーザ装置は、本体に搭載した二次電池と、前記二次電池の残量を監視する電池残量監視部と、少なくとも前記二次電池から供給される電源によりレーザ発振するレーザ発振器と、前記レーザ発振器から照射されるレーザ光を患者患部へ導くレーザ導光部と、前記レーザ発振器から送出されるレーザ光出力を制御するレーザ制御部とを備えたものであって、前記電池残量監視部で監視する電池残量が所定値を下回った場合警報音を発する警報発生部をさらに備えたことに特徴がある。
【００２１】
この構成によれば、二次電池を電力供給源として動作するので電源コードは不要で、移動の際に電源コードに触れる必要がなく、収納しておけば煩わしさは一切なくなる。基本的に使用時は、商用電源に接続しなくてよいため商用電源の供給状態には左右されない。診療時間帯における消費電力を抑制できる。商用電源ラインを介した他の医療機器との相互干渉といった不具合もない。
【００２２】
特に電池残量監視部で監視する電池残量が所定値を下回った場合、警報音を発するため、使用者が、電池残量を把握せず電池残量不足状態で使用開始した場合でも、十分な出力のレーザ光を得ることができなかったり、レーザ発振が突然停止されなかったりというトラブルは未然に防がれる。
【００２３】
特に使用者は患者患部を注視しているレーザ治療の最中にあっても、電池残量の低下に伴う警報音を聞くことによって確実に状況認識出来る。
【００２４】
また、上記第２の目的を達成するため、本発明にかかる第２の医療用レーザ装置は、商用電源入力部を備え、二次電池は前記商用電源部に接続された商用電源からの電力供給がある場合は前記二次電池に充電することを特徴とするものである。
【００２５】
この構成によれば、単に診療時間外や治療の合間に電源コンセントから商用電源入力部に接続しておくだけで装置に搭載された二次電池への充電が達成されるので使い勝手に優れた構成となる。
【００２６】
また、上記第３の目的を達成するため、本発明にかかる第３の医療用レーザ装置は、商用電源入力部を備え、前記商用電源接続部に接続された商用電源からの電力供給がある場合は本装置内部への電力供給を前記商用電源接続部から行うことを特徴とするものである。
【００２７】
この構成によれば、もし治療途中で電池が消耗してしまった場合にも電源コンセントから商用電源入力部に接続しさえすれば、従来の医療用レーザ装置と全く同じように給電され動作継続できる。本発明にかかる第２の医療用レーザ装置と組み合わせれば同時に二次電池への充電も行われるため、充電状態回復を待って商用電源から切り離しても差し支えない。
【００２８】
また、上記第４の目的を達成するため、本発明にかかる第４の医療用レーザ装置は、電池残量監視部で検出される電池残量レベルを表示する電池残量表示部を設けたものである。これによりレーザ治療の前後に電池消耗度合いを使用者または周囲の者に知らせ適切な処置を促すことが出来る。
【００２９】
また、上記第５の目的を達成するため、本発明にかかる第５の医療用レーザ装置は、商用電源入力部または二次電池の接続状態によって前記二次電池の充放電動作を示す充放電状態表示部を設けたものである。これによりレーザ治療の前後に現在本装置が電池駆動で放電しているのか充電されているのかを使用者または周囲の者に知らせ、適切な処置を促すことが出来る。
【００３０】
また、上記第６の目的を達成するため、本発明にかかる第６の医療用レーザ装置は、レーザ照射中のレーザ照射警告音とは異なる警報音パターンで警報発生する警報発生部を設けたものである。これによりレーザ照射中に発せられるレーザ照射警告音と電池残量低下に伴う警報音が区別され、レーザ治療の最中にあっても、その音によって電池残量の低下が発生したことを使用者に明確に認識させることが出来る。
【００３１】
また、上記第７の目的を達成するため、本発明にかかる第７の医療用レーザ装置は、電池残量監視部による電池残量レベルにより複数種類の警報音パターンで警報発生する警報発生部を設けたものである。これにより治療中で表示部分に目が届きにくい使用者に対し、電池消耗度合いを音で知らせ、適切な処置を促すことが出来る。一般的にレーザ出力、動作モードが一定であれば消費電流は変動しないため、あと何時間充電せずに治療に供することができるか、使用者に対しきめの細かい報知が可能となる。
【００３２】
また、上記第８の目的を達成するため、本発明にかかる第８の医療用レーザ装置は、警報発生部による警報発生後も所定時間はレーザ出力可能とし、二次電池への充電への充電が開始あるいは電池残量が所定値を上回った場合、警報音発生を停止するものである。これにより治療が突然続行出来なくならないよう、ある程度余裕を持って使用者に電池消耗状況を知らせ、適切な処置を促すことが出来る。
【発明の効果】
【００３３】
本発明の医療用レーザ装置によれば、使用者が、電池残量を把握せず電池残量不足状態で使用開始した場合でも、十分な出力のレーザ光を得ることができなかったり、レーザ発振が突然停止されなかったりというトラブルは未然に防ぐことができる。
【発明を実施するための最良の形態】
【００３４】
（実施の形態１）
本発明の第１の目的を達成する実施の形態１にかかる医療用レーザ装置について、図１〜図２を参照しながら説明する。
【００３５】
図１は、本発明の実施の形態１にかかる医療用レーザ装置の概略構成を示すブロック図である。ここに示すように、本実施の形態１における医療用レーザ装置は、背景技術において図４に示した医療用レーザ装置と同様に、レーザ制御部２、レーザ発振器３、操作部４、表示部５及びレーザ導光部６を設けている。操作部４は、使用者がレーザ光出力や照射パターン等の照射条件や照射開始／停止を入力指示するためのインターフェースである。操作部４から入力された情報は、レーザ制御部２へ出力される。操作部４の一部はフットペダルからなり、使用者が照射条件を設定し、照射待機状態にした後このフットペダルを踏むことでレーザ照射指令が発出される。
【００３６】
レーザ制御部２は、使用者が操作部４を用いて設定した照射条件でレーザ光照射されるよう、レーザ発振器３へ信号送出する。またレーザ制御部２は、操作部４から入力され受け付けた情報を表示部５に表示させる。表示部５は本体装置上部のフロントパネルに備えられ、設定された照射条件や現在の照射状態をＬＥＤ等で示す。レーザ発振器３は、例えばＲＦ発振型の金属製封じ切り１０Ｗ出力炭酸ガスレーザ管（レーザ波長１０．６μｍ）であり、レーザ制御部２から送出されたパルス信号のデューティに応じてレーザ出力が調整される。レーザ導光部６は、レーザ発振器３から出射されたレーザ光を術野まで効率よく導く光ファイバープローブであり、先端部には使用者が把持するハンドピース及びレーザ光を集光チップするチップを備えている。
【００３７】
従来の医療用レーザ装置と異なるのは、まず装置内部各ブロックへ給電する電源供給源が背景技術で示した商用電源ではなくニッケル水素からなる二次電池１から与えられる点にある。この二次電池は９Ａｈの電池容量を持ち、レーザ照射時の一般的な消費電流３Ａの状況では概略約３時間連続照射できる計算である。例えば歯科用レーザ治療を想定すると、１患者への治療１回あたり数分〜１０数分の照射であれば、電池駆動で数日間の使用を見込むことが出来る。
【００３８】
またこの二次電池１の残量を監視する電池残量監視部７を設け、前記電池残量監視部７で監視する電池残量が所定値を下回った場合、警報ブザー音を発する警報発生部８をさらに備えたことを特徴としている。
【００３９】
電池残量監視部７では、電池残量の指標として電池電圧を検出しこの値によって使用者に電池消耗を示す警報音が発せられる構成である。
【００４０】
図２は、本実施の形態１における医療用レーザ装置のハードウェア構造の外観を示す斜視図である。本実施の形態１の医療用レーザ装置は、図２に示すように、四角柱状の本体ボディ３１と、本体ボディ３１の上面に取り付けられた操作パネル部３２とを有する。本体ボディ３１の下部には、本体ボディ３１を支える台座部３３と、台座部３３の底面に取り付けられたキャスター３４と、フットペダル３５とを有する。
【００４１】
本体ボディ３１の内部には、レーザ制御部２やレーザ発振器６等が収納されている。レーザ制御部２やレーザ発振器６以外の種々の構成要素が本体ボディ３１に収納されているが、それらの構成要素は本発明の実施形態の理解に際して重要ではないため、図２ではそれらの図示を省略し、説明も省略する。
【００４２】
操作パネル３２には、上述の操作部４、表示部５等が実装され、レーザ導光部６が接続される。なお、図２に示したレーザ導光部６は一例であって、本発明にかかるレーザ装置に適用可能なプローブの形状は図２に示した具体例のみに限定されない。例えばミラー反射型の多関節マニピュレータやフレキシブルチューブ状の中空導波路でも構わない。
【００４３】
また、図２では、台座部３３の内部に電池１が収納されている態様を示したが、本体ボディ３１に収納された態様であっても良い。
【００４４】
図２に示した構成にかかる医療用レーザ装置は、キャスター３４によって床上を移動させることができる。また、この医療用レーザ装置は、電池２を電力供給源としたことにより、電源コードが不要であるため、診察台や診療チェアー間の移動が自在である。
【００４５】
この構成によれば、二次電池を電力供給源として動作するので電源コードは不要で、移動の際に電源コードに触れる必要がなく、収納しておけば煩わしさは一切なくなる。基本的に使用時は、商用電源に接続しなくてよいため商用電源の供給状態には左右されない。診療時間帯における消費電力を抑制できる。商用電源ラインを介した他の医療機器との相互干渉といった不具合もない。
【００４６】
特に電池残量監視部で監視する電池残量が所定値を下回った場合、警報音を発するため、使用者が、電池残量を把握せず電池残量不足状態で使用開始した場合でも、十分な出力のレーザ光を得ることができなかったり、レーザ発振が突然停止されなかったりというトラブルは未然に防がれる。
【００４７】
特に使用者は患者患部を注視しているレーザ治療の最中にあっても、電池残量低下に伴う警報音を警報音発生部８から聞くことで使用者は確実に電池消耗の状況を認識出来る。
【００４８】
（実施の形態２）
次に、本発明の第２〜第８の目的を達成する実施の形態２にかかる医療用レーザ装置及び電池残量検出方法について、図３を参照しながら説明する。
【００４９】
図３は、本発明の実施の形態２にかかる医療用レーザ装置の概略構成を示すブロック図である。本発明の実施の形態２において、実施の形態１にかかる医療用レーザ装置と同一の機能を有するブロックには同一番号を付与し、説明を省略する。
【００５０】
図３において図番９は電池残量表示部であり、電池残量監視部７で検出された二次電池１の電池残量レベルを３段階のＬＥＤで表示する。この電池残量表示部９に設けられた３つのＬＥＤが全て点灯している時は二次電池１の容量はまだ十分余っているのに対し、１つのＬＥＤのみが点灯する状態では充電を要するレベルまで消耗してきたことを示す。例えば警報音発生部８ではこのＬＥＤが３つ点灯から２つ点灯に変わるときに「ピッ」、２つ点灯から１つ点灯に変わるとき「ピピッ」、さらに放電が進み、この１つのＬＥＤが点滅に変わるとときには「ピー・ピー」という警報ブザー音が鳴動するような構成で、電池残量レベルを音パターンでも区別して報知する。この「ピー・ピー」という警報ブザー音はＬＥＤの点滅周期と同期しており、使用者が電池残量表示部９を見ることでより確実に電池消耗を報知できる。
【００５１】
一般的にレーザ出力、動作モードが一定であれば消費電流は変動しないため、あと何時間充電せずに治療に供することができるか等、使用者に対しきめの細かい電池電圧低下の状況を報知できる。電池残量低下の状況は、警報音パターンでなく、音量や音色を変化させ、低下するほど深刻さを強調し、充電を促すようにしてもよい。
【００５２】
電池残量が最低レベルの表示状態になり、警報発生部による警報音発生後も例えば２０分以上はそのままレーザ出力可能とし、電源コンセントにつなぎ商用電源に接続することで二次電池への充電が開始あるいは電池残量が所定値を上回った場合、警報音発生を停止するものである。
【００５３】
また図番１０は商用電源入力部、１１は充電制御部であり、１２は二次電池１が充電中の時に点灯、放電中の時に消灯する充放電状態表示部である。商用電源入力部１０は交流１００Ｖの商用電源を直流に変換し、装置内部各ブロックへ給電するとともに充電制御を司る充電制御部１１を介して、二次電池１への充電電流を調整する。
【００５４】
充電制御部１１は商用電源入力部１０から交流１００Ｖの電源が投入されていれば、二次電池１への充電動作を行うとともに、二次電池１から装置内への放電を抑止する。すなわち交流１００Ｖが接続されていれば商用電源からの給電、交流１００Ｖが接続されていなければ二次電池１からの給電という切換を行う。
【００５５】
この充電制御部１１は二次電池１における充電状態を監視しながら充電電流を調整するとともに、現在この二次電池１が充電中（交流１００Ｖ接続中）なのか放電中（交流１００Ｖ非接続中）なのか、使用者にわかるよう充放電状態表示部１２に表示する構成である。二次電池１にとっては充電状態と放電状態が明確に分離できるので、電池寿命を長く保つことが出来る。
【００５６】
図２では二次電池１放電による電源供給路と商用電源による電源供給路が分離独立して設けられており、いずれか一方に切り換えられまた電流の逆流が生じさせないことを明示するため、スイッチとダイオードを付記している。
【００５７】
もし二次電池１が接続されていなければ、電池残量表示部９には電池残量が空であることが示されるが、従来の医療用レーザ装置同様、商用電源入力専用機器として動作することが出来る。
【００５８】
上記構成によれば、商用電源と二次電源が併用されているため、必要に応じて両者を使い分けることが出来る。診療時間中、頻繁に本装置を移動させたい場合は、診療時間外や治療の合間に電源コンセントから商用電源入力部に接続しておくだけで装置に搭載された二次電池への充電が達成されるので使い勝手に優れた構成となる。
【００５９】
もし治療途中で電池が消耗してしまった場合にも、使えなくなる前に警報音が発せられあるいは電池残量表示されるので、その時点で電源コンセントから商用電源入力部に接続しさえすれば、従来の医療用レーザ装置と全く同じように給電され動作継続できる。
【００６０】
商用電源からの電力で本装置を駆動している際は、同時に二次電池１への充電も並行して行われるため、使用者は「充電」という作業をほとんど意識することなく二次電池１への充電が実行される。二次電池１をいちいち本体装置から取り外して充電するのではなく、電源コンセントにつなぐだけなので使用者にとって使い勝手がよい。充電状態回復を待って商用電源から切り離しても何ら差し支えない。
【００６１】
また電池残量表示部９は、電池残量監視部で検出される電池残量レベルを表示するため、レーザ治療の前に電池消耗度合いを使用者が把握しておくことが出来る。電池残量表示部９の表示によって、二次電池駆動で扱うことのできるレーザ治療時間を使用者に把握していただくことが可能となる。警報音発生部８から電池消耗を示す警報音が鳴動した時、電池残量が低下したためであることを使用者に確認させることにもなる。
【００６２】
また商用電源入力部または二次電池の接続状態によって前記二次電池の充放電動作を示す充放電状態表示部を設けたため、レーザ治療の前後に現在本装置が電池駆動で放電しているのか充電されているのかを使用者に知らせ、適切な処置を促すことが出来る。もし電池残量低下に伴う警報音が鳴動した時、商用電源未接続であれば、電源コンセントにつなぐだけで事態は解消される。
【００６３】
また、電池残量低下に伴う警報音をレーザ照射中のレーザ照射警告音とは異なるパターンでかつ電池残量レベルごとに警報発生させることにより、レーザ治療の最中にあっても、表示部分に目が届きにくい使用者に対し、その音によって電池残量の低下レベルを使用者に明確に認識させることが出来る。電池残量レベルが最低になってもまだ所定時間は継続的に使用できるため、治療が突然続行出来なくなることはなく、余裕を持って使用者に適切な処置を促すことが出来る。
【００６４】
ニッケル水素のような二次電池の場合、満充電に近い状態で浅い充放電を繰り返すのも、過放電を起こしてしまうのも、電池寿命を短くする要因となる。日常の診療では電池使用を基本としつつ警報音が発せられたり、ある程度以下の残量表示となったりした当日の夜間に充電を行っておくのが好適となる。この実施の形態２では警報音発生後も２０分以上継続使用できるので、使用者はあわてることなく診療の合い間に充電を行えばよい。またこの警報音を契機に充電する使用法は電池超寿命化にも寄与する。
【産業上の利用可能性】
【００６５】
以上のように本発明にかかる医療用レーザ装置は、使用者が患者患部を注視しているレーザ治療の最中にあっても、二次電池１の残量低下時に警報音を発する警報発生部８を備えることによって、突然の治療中断を回避できるものとして、産業上の利用可能性を有している。
【図面の簡単な説明】
【００６６】
【図１】本発明の実施の形態１にかかる医療用レーザ装置の概略構成を示すブロック図
【図２】本発明の実施の形態１にかかる医療用レーザ装置の概略構成を示す斜視図
【図３】第本発明の実施の形態２にかかる医療用レーザ装置の概略構成を示すブロック図
【図４】従来の医療用レーザ装置の構成を示すブロック図
【符号の説明】
【００６７】
１    二次電池
２    レーザ制御部
３    レーザ発振器
６    レーザ導光部
７    レーザ残量監視部
８    警報音発生部
９    電池残量表示部
１０    商用電源入力部
１２    充放電状態表示部
３１    本体ボディ
３２    操作パネル
３３    台座部
３４    キャスター
３５    フットペダル
【図１】
2007089751.tif 000003
【図２】
2007089751.tif 000004
【図３】
2007089751.tif 000005
【図４】
2007089751.tif 000006